(57)【要約】【課題】帳票の画像を見ながら行うデータ入力作業を効率良く行えるようにする。【解決手段】このデータエントリシステムは、帳票を光学的に読み取った画像を表示する表示装置と、帳票における文字記載欄の配置を含むフォーマット情報が記憶された帳票情報記憶部と、帳票中の文字記載欄毎に、テキスト入力ボックスを表示するための設定情報が記憶された入力ボックス設定情報記憶部と、画面上でポインタが移動された位置情報に従って帳票情報記憶部と入力ボックス設定情報記憶部から該当情報を読み出し、画面上の文字記載欄の近傍位置にテキスト入力ボックスをポップアップ表示するテキスト入力ボックス表示制御部とを備える。【選択図】図１
2010287079.tif 000002
【特許請求の範囲】
【請求項１】
帳票を光学的に読み取った画像を表示する表示部と、
前記帳票の文字記載欄の配置を含むフォーマット情報が記憶された帳票情報記憶部と、
前記帳票の画像中の各文字記載欄毎に、テキストデータのキー入力用のテキスト入力ボックスを表示するための設定情報が記憶された入力ボックス設定情報記憶部と、
前記帳票情報記憶部から前記帳票のフォーマット情報を読み出し、前記文字記載欄が指定または特定されることで、前記文字記載欄に対応する前記テキスト入力ボックスを、前記入力ボックス設定情報記憶部の設定情報を用いて前記画面上の前記文字記載欄の近傍位置にポップアップ表示するテキスト入力ボックス表示制御部と
を具備することを特徴とするデータエントリシステム。
【請求項２】
前記テキスト入力ボックス表示制御部は、
予め設定された順序により前記帳票の文字記載欄を指定することを特徴とする請求項１記載のデータエントリシステム。
【請求項３】
前記テキスト入力ボックス表示制御部は、
前記画面上に表示されたポインタが移動された位置情報から、前記帳票の画像上の前記文字記載欄を特定することを特徴とする請求項１記載のデータエントリシステム。
【請求項４】
前記帳票の画像中の文字記載欄を文字認識する文字認識部と、
前記文字認識部により文字認識された文字列を、前記テキスト入力ボックスに挿入する訂正制御部と
を具備することを特徴とする請求項１記載のデータエントリシステム。
【請求項５】
前記文字認識部は、
前記文字記載欄が特定される都度、その欄を文字認識することを特徴とする請求項４記載のデータエントリシステム。
【請求項６】
前記文字認識部は、
前記帳票の画像全体から各文字記載欄の文字を認識することを特徴とする請求項４記載のデータエントリシステム。
【請求項７】
表示装置の画面に帳票を学的に読み取った画像を表示してデータエントリを行うためのデータエントリシステムにおけるデータエントリ方法において、
前記帳票の画像を前記表示装置の画面に表示するステップと、
前記帳票情報記憶部から前記帳票の文字記載欄の配置を含む前記帳票のフォーマット情報を読み出し、前記文字記載欄が指定または特定されることで、前記帳票の画像中の各文字記載欄毎にテキストデータのキー入力用のテキスト入力ボックスを表示するための設定情報を前記入力ボックス設定情報記憶部から読み出し、この設定情報を用いて前記文字記載欄に対応する前記テキスト入力ボックスを、前記画面上の前記文字記載欄の近傍位置にポップアップ表示するステップと
を有することを特徴とするデータエントリ方法。
【発明の詳細な説明】
【技術分野】
【０００１】
本発明は、データエントリシステムおよびデータエントリ方法に関する。
【背景技術】
【０００２】
例えば申込書などの帳票の画像を画面に表示し、オペレータが、その画面を見ながら、帳票の情報をキー入力してゆくためのデータエントリシステムがある。
【０００３】
データエントリに関する技術として、例えば入力帳票のイメージデータを表示するイメージデータ表示部と、その下方に入力帳票に記載されたエントリデータを入力するための入力フィールドを表示する入力フィールド部とを有するエントリ画面を表示するエントリ端末が公開されている（例えば特許文献１，段落００４７参照）。
【先行技術文献】
【特許文献】
【０００４】
【特許文献１】特開２００７−２２６３２９号公報
【発明の概要】
【発明が解決しようとする課題】
【０００５】
従来のエントリ端末の場合、帳票イメージの表示フィールドと、テキストデータをキー入力するためのフィールドが、一つの画面に上下に並んで配置されている。
【０００６】
このため、オペレータは、帳票イメージを見ながらキー入力する際に、上下のフィールドの文字を交互に見比べる必要がある。これでは入力項目毎に視線の移動が毎回発生し、キー入力作業にロスが発生する。
【０００７】
そこで、帳票イメージの表示フィールドに、帳票イメージを拡大して表示し、文字自体の視認性を良くする技術も開発されているが、フィールドが異なることには違いはなく、フィールドをまたぐ視線の移動は発生してしまう。また、この場合、項目を変えるたびに帳票イメージのスクロール操作が必要になり、この操作も時間のロスに繋がる。
【０００８】
このように従来はイメージデータの表示フィールドとデータ入力のためのフィールドとが完全に区分（分離）されていたため、互いのフィールドを見比べるための視線移動が生じ、その間の時間が無駄になることから、データ入力作業の効率が悪化するという問題があった。
【０００９】
本発明はこのような課題を解決するためになされたもので、帳票の画像を見ながら行うデータ入力作業を効率良く行うことができるデータエントリシステムおよびデータエントリ方法を提供することを目的とする。
【課題を解決するための手段】
【００１０】
上記の課題を解決するために、本発明のデータエントリシステムは、帳票を光学的に読み取った画像を表示する表示部と、前記帳票の文字記載欄の配置を含むフォーマット情報が記憶された帳票情報記憶部と、前記帳票の画像中の各文字記載欄毎に、テキストデータのキー入力用のテキスト入力ボックスを表示するための設定情報が記憶された入力ボックス設定情報記憶部と、前記帳票情報記憶部から前記帳票のフォーマット情報を読み出し、前記文字記載欄が指定または特定されることで、前記文字記載欄に対応する前記テキスト入力ボックスを、前記入力ボックス設定情報記憶部の設定情報を用いて前記画面上の前記文字記載欄の近傍位置にポップアップ表示するテキスト入力ボックス表示制御部とを具備する。
【００１１】
また、本発明のデータエントリ方法は、表示装置の画面に帳票を光学的に読み取った画像を表示してデータエントリを行うためのデータエントリシステムにおけるデータエントリ方法において、前記帳票の画像を前記表示装置の画面に表示するステップと、前記帳票情報記憶部から前記帳票の文字記載欄の配置を含む前記帳票のフォーマット情報を読み出し、前記文字記載欄が指定または特定されることで、前記帳票の画像中の各文字記載欄毎にテキストデータのキー入力用のテキスト入力ボックスを表示するための設定情報を前記入力ボックス設定情報記憶部から読み出し、この設定情報を用いて前記文字記載欄に対応する前記テキスト入力ボックスを、前記画面上の前記文字記載欄の近傍位置にポップアップ表示するステップとを有する。
【発明の効果】
【００１２】
本発明によれば、帳票の画像を見ながら行うデータ入力作業を効率良く行うことができる。
【図面の簡単な説明】
【００１３】
【図１】本発明の一実施形態のデータエントリシステムの構成を示す図である。
【図２】第１実施形態のデータエントリシステムの動作を示すフローチャートである。
【図３】データエントリ画面の一例を示す図である。
【図４】テキスト入力ボックスが表示されたデータエントリ画面を示す図である。
【図５】テキスト入力ボックスにテキストが入力された様子を示す図である。
【図６】テキスト入力ボックスが移動された様子を示す図である。
【図７】他の動作例を示すフローチャートである。
【図８】第２実施形態のデータエントリシステムの構成を示す図である。
【図９】図８のデータエントリシステムの動作を示すフローチャートである。
【図１０】データエントリ画面の一例を示す図である。
【発明を実施するための形態】
【００１４】
以下、図面を参照して、本発明の一つの実施の形態のデータエントリシステムを詳細に説明する。図１は第１実施形態のデータエントリシステムの構成を示す図である。
【００１５】
図１に示すように、この第１実施形態のデータエントリシステムは、画像入力装置としてのイメージスキャナ１（以下「スキャナ１」と称す）と、例えばテキスト入力やデータエントリ開始操作や終了操作などの指示操作を行うキーボードなどの入力装置２と、コンピュータ本体３と、モニタなどの表示装置４を備えている。入力装置２としては、マウスやトラックボールなどのように画面上のポインタを操作する機器も含まれる。
【００１６】
スキャナ１は、例えばＣＣＤなどの撮像素子をライン状に配置したＣＣＤラインセンサとこのＣＣＤラインセンサへ帳票Ｐを連続して供給するための給紙機構を備えるものである。この他、スキャナ１は、帳票Ｐを一枚ずつ読み取るためのフラットベットを備えるものであってもよい。スキャナ１は、ＣＣＤラインセンサにより読取対象物（申込書などの帳票）をスキャニングし（読み取り）、デジタル画像としてコンピュータ本体３に入力する。
【００１７】
この実施形態では、画像入力装置としてスキャナ１を例示したが、「帳票を光学的に読み取った画像」を入力するものであれば、例えばネットワーク上のサーバやネットワーク回線、その通信インターフェースなども画像入力装置に含まれる。この他、画像入力装置としては、様々なものを許容する。
【００１８】
表示装置４は、コンピュータ本体３から出力されたデータ編集用の画面（図３のデータエントリ画面５を参照）を表示する。すなわち、表示装置４は、帳票Ｐを光学的に読み取った画像を表示する表示部として機能する。この表示装置４の画面には、コンピュータ本体３で処理されたイメージデータが表示される他、所望のイメージにポインタを移動させること（マウスオーバー）で、テキストを入力するためのテキスト入力ボックスがポップアップ表示される。
【００１９】
コンピュータ本体３は、制御部３１、メモリ３２、イメージ記憶部３３、入力データ保存部３４、帳票情報記憶部３５、入力フィールド定義体データベース３６（以下「入力フィールド定義体ＤＢ３６」と称す）、入力フィールド画面制御部３７などを備えている。メモリ３２以外の要素は、ハードディスク装置にインストールされたプログラムを、コンピュータ本体３に設けられたＣＰＵが実行することで実現される。なお上記各要素はソフトウェアに限らずハードウェアで実現してもよい。
【００２０】
制御部３１は、入力装置１から入力されるテキストデータ等の入力データを入力データ保存部３４に保存する。入力データ保存部３４には、入力データが文字記載欄である項目単位に保存され、入力データが保存済みの項目にはその旨を示すフラグが付され、このフラグにより各項目に入力データが保存されているか否かをチェックできる。
【００２１】
また、制御部３１は、スキャナ１から入力された帳票Ｐのイメージデータ（以下これを「帳票イメージ」と称す）をメモリ３２に記憶する。制御部３１は、キーエントリのための操作がなされることで、帳票イメージをメモリ３２から読み出して表示装置４に出力する。
【００２２】
メモリ３２は、制御部３１および入力フィールド画面制御部３７がデータエントリに関する処理を行うための作業領域（データの一時記憶領域）として機能する。
【００２３】
イメージ記憶部３３には、スキャナ１から入力された帳票イメージが保存される。入力データ保存部３４には、入力装置２から入力されたテキストデータが保存される。
【００２４】
帳票情報記憶部３５には、帳票Ｐを識別するための帳票種別情報である帳票コードが記憶されている。帳票コードは、例えば００１…自動車検査証、００２…携帯電話申込書…等である。また帳票情報記憶部３５には、それぞれの帳票コード毎にフォーマット情報（これを「帳票フォーマット」という）が記憶されている。
【００２５】
帳票フォーマットは、帳票イメージのどの位置にどういった情報が記載されているかといった情報である。すなわち、帳票情報記憶部３５は、帳票Ｐにおける文字記載欄の配置を含む帳票フォーマットが記憶された帳票フォーマット記憶部として機能する。
【００２６】
制御部３１は、帳票Ｐの所定位置に印字された帳票コードを読み取り、読み取った帳票コードと帳票情報記憶部３５内の帳票コードとが一致したとき、その帳票の帳票フォーマットを特定する。なお帳票コードはデータエントリ作業の際にオペレータによるキー操作で入力される場合もある。
【００２７】
入力フィールド定義体ＤＢ３６には、帳票イメージの一つ一つの文字記載欄であるイメージエリア（以下これを「文字イメージ領域」と称す）の属性データとテキスト入力ボックスの属性データ、入力順序等が記憶されている。文字イメージ領域の属性データは、例えばテキスト入力ボックスの枠の範囲を示す座標情報（始点（左上角）と終点（右下角））である。座標情報は、例えば帳票イメージの左上角をｘ０，ｙ０などとする２次元平面の座標である。
【００２８】
入力フィールド定義体ＤＢ３６は、帳票イメージ中の文字記載欄毎に、テキストデータのキー入力用のテキスト入力ボックスを表示するための設定情報が記憶された入力ボックス設定情報記憶部として機能する。
【００２９】
入力フィールドの属性データは、文字記載欄毎にテキスト入力ボックスを表示するデフォルトの位置を示す座標情報（始点）、文字種（漢字、英数字等）、文字数、禁則文字、色（背景、文字）等である。入力順序は、テキスト入力対象の文字イメージ領域（文字記載欄）を切り替える順番である。
【００３０】
入力フィールド画面制御部３７は、画面に表示された帳票イメージの中の任意の文字イメージ領域にマウスポインタが移動したときに、その文字イメージ領域に対応するテキスト入力ボックスをポップアップ表示する。
【００３１】
表示装置４には、帳票イメージを表示する画面とこの画面上で帳票イメージの中の所望の部位を指定するためのポインタとが表示される。
入力フィールド画面制御部３７は、画面に表示された帳票イメージの中でポインタが移動された位置情報に従って帳票情報記憶部３５から該当する帳票Ｐのフォーマット情報を読み出し、読み出したフォーマット情報からポインタが移動した位置の文字記載欄を特定する。
【００３２】
なお、文字記載欄については、予めメモリ３２に文字記載欄の切り替えのための順序（テキスト入力ボックスの表示順序）を設定しておき、この順序に従って帳票Ｐの文字記載欄を特定してもよい。この場合、マウスでポインタを次の文字記載欄の位置まで一々移動する必要が無くなり、作業効率をより向上することができる。
【００３３】
入力フィールド画面制御部３７は、特定した文字記載欄に対応するテキスト入力ボックスの設定情報を入力フィールド定義体ＤＢ３６から読み出し、テキスト入力ボックスを生成し、そのテキスト入力ボックスを文字記載欄の近傍のデフォルト位置にポップアップ表示するテキスト入力ボックス表示制御部として機能する。
【００３４】
入力フィールド画面制御部３７は、画面にポップアップ表示されたテキスト入力ボックスをマウスなどにより所望の位置にドラッグ＆ドロップ操作することで、その移動位置に、テキスト入力ボックスを移動および表示する。これにより、オペレータはデフォルトの表示位置でテキスト入力ボックスの下に隠れていた帳票イメージを目視確認できる。
【００３５】
以下、図２乃至図７を参照して第１実施形態のデータエントリシステムの動作を説明する。
【００３６】
このデータエントリシステムでは、処理対象の帳票Ｐの帳票コードが指定され、データエントリ開始操作が行われると、スキャナ１により帳票Ｐがスキャニングされて（図２のステップＳ１０１）、帳票イメージがコンピュータ本体３に入力される。帳票コードは、スキャニングの際に、帳票イメージから検出してもよい。
【００３７】
コンピュータ本体３では、制御部３１が、その入力されたイメージデータをイメージ記憶部３３に記憶する。イメージデータは、例えばＪＰＥＧ形式またはＰＮＧ形式等である。
【００３８】
イメージデータを記憶後、制御部３１は、帳票コードに対応する帳票種別データおよび入力フィールド定義データを帳票情報記憶部３５および入力フィールド定義体ＤＢ３６から読み出して（ステップＳ１０２）、メモリ３２に展開する。
【００３９】
続いて、入力フィールド画面制御部３７は、イメージ記憶部３３から、データエントリ対象のイメージデータを読み出してデータエントリ画面として表示装置４へ出力し、図３に示すようなデータエントリ画面５が表示装置４に表示される（ステップＳ１０３）。
【００４０】
このデータエントリ画面５の初期画面には、従来のようなテキスト入力用のフィールドは表示されず画面全体に帳票イメージ５０が表示される。
【００４１】
ここで、オペレータが、データエントリ画面５上のポインタ（矢印）を、マウス操作により所望の文字の位置に移動させ、入力したい文字イメージ領域を指定すると（ステップＳ１０４）、入力フィールド画面制御部３７は、そのポインタの位置を基にメモリ３２から座標情報を読み出して、図４に示すように、その文字を含む文字イメージ領域を囲む枠線５１と、この枠線５１をリンク線５２で接続したテキスト入力ボックス５３とをポップアップ表示する（ステップＳ１０５）。テキスト入力ボックス５３には、テキスト入力位置を示すカーソル５４が表示される。
【００４２】
この例では、枠線５１とリンク線５２とテキスト入力ボックス５３とはそれぞれ別個の色で表示される。例えば枠線５１は赤色、リンク線５２は青色、テキスト入力ボックス５３は、背景が半透明に透けた水色などで表示される。リンク線５２とテキスト入力ボックス５３とは同じ色であってもよい。
【００４３】
ここで、オペレータにより、図５に示すように、データエントリ画面５に表示されたテキスト入力ボックス５３にテキスト５６が入力されると、制御部３１は、テキスト入力ボックス５３に入力されたテキストデータを入力データ保存部３４に保存する（ステップＳ１０６）。
【００４４】
データ保存後、制御部３１は、入力データ保存部３４にデータが保存されている項目毎のフラグをチェックし、まだテキストデータが入力されていない項目（テキストが未入力の項目）が存在するか否かを判定する（ステップＳ１０７）。
【００４５】
テキストが未入力の項目が存在する場合（ステップＳ１０７のＹｅｓ）、制御部３１は、ステップＳ１０４の処理に戻り、文字イメージ領域が指定されるのを待機する。
【００４６】
また、図６に示すように、データエントリ画面５上のテキスト入力ボックス５３が、オペレータにより、ドラッグされて矢印５７の方向へ移動されて所望の位置にドロップされると、入力フィールド画面制御部３７は、枠線５１に対する新たなリンク線５２ａとテキスト入力ボックス５３ａをその移動位置に表示する。
【００４７】
このようにこの第１実施形態のデータエントリシステムによれば、データエントリ画面５上のポインタを、キーエントリ対象の文字イメージ領域の位置に移動させるだけで、文字イメージ領域の近傍のデフォルト位置にテキスト入力ボックス５３がポップアップ表示されるので、オペレータは、視線をほぼ移動させることなく、テキスト入力ボックス５３にテキストデータを入力することができ、データ入力作業を効率良く行うことができる。
【００４８】
また、指定した文字イメージ領域が枠線５１で囲われる他、枠線５１とテキスト入力ボックス５３がリンク線５２で結ばれているので、どの範囲（項目）の文字を入力するのかをオペレータが一目でわかり、誤入力を起こすことを未然に防ぐことができる。
【００４９】
ここで、このデータエントリシステムの他の動作例について説明する。
上記動作例では、オペレータが、マウス操作でポインタを所望の文字の位置に移動させる例について説明した。マウス操作で文字の位置を指定することは、テキストの入力項目が飛んでいるときなどに有効ではあるが、携帯電話会社の申込書などに対するデータエントリ業務では、契約者の氏名、住所、電話番号などの項目を順に入力することが多くある。
【００５０】
このような場合にデータエントリ作業の効率化を図る上では、キーボードから手を離すマウス操作を極力減らすことがよい。
【００５１】
そこで、予めメモリ３２に、テキストの入力順序と個々の項目の文字イメージ領域とを対応させた順序情報を記憶しておき、その順序情報に従って文字イメージ領域に枠線５１、リンク線５２およびテキスト入力ボックス５３を表示する。このような場合の動作例を以下に示す。なお、上記図２で説明したステップと同じ説明は省略し、異なる動作について説明する。
【００５２】
図７に示すように、スキャナ１によりスキャニングされた帳票イメージ５０がデータエントリ画面５に表示される（ステップＳ１０１〜Ｓ１０３）。
【００５３】
この場合、入力フィールド画面制御部３７は、データエントリ画面５にイメージデータを表示するとほぼ同時に、メモリ３２の順序情報を読み出して入力順序の１番目の文字イメージ領域のデフォルト位置に枠線５１とリンク線５２で接続したテキスト入力ボックス５３とをポップアップ表示する（ステップＳ２０１）。テキスト入力ボックス５３には、テキスト入力位置を示すカーソル５４が表示される。
【００５４】
ここで、オペレータにより、図５に示したように、テキスト入力ボックス５３にテキスト５６が入力された後、キーボードのエンターキーの押下によるキー入力の確定操作（テキスト入力終了操作）が行われると（ステップＳ２０２のＹｅｓ）、入力フィールド画面制御部３７は、テキスト入力ボックス５３に入力されたテキストデータを入力データ保存部３４に保存する（ステップＳ１０６）。
【００５５】
データ保存後、まだテキストデータが入力されていない項目（テキストが未入力の項目）が存在する場合（ステップＳ１０７のＹｅｓ）、入力フィールド画面制御部３７は、ステップＳ１０４の処理に戻り、次の順序（２番目）の文字イメージ領域のデフォルト位置に枠線５１とリンク線５２で接続したテキスト入力ボックス５３とをポップアップ表示する（ステップＳ２０１）。
【００５６】
このようにこの動作例によれば、データエントリ画面５に帳票イメージ５０が表示されると同時に、キーエントリ対象の文字イメージ領域のデフォルト位置にテキスト入力ボックス５３がポップアップ表示され、テキスト入力後はエンターキーの操作で次の項目の入力作業に移れるので、オペレータは、キーボード操作のみで（マウスなどで文字イメージ領域を指定することなく）作業を続けることができ、データ入力作業を効率良く行うことができる。
【００５７】
次に、図８乃至図１０を参照して第２実施形態のデータエントリシステムについて説明する。なお第１実施形態と同じ構成には同一の符号を付しその説明は省略する。
【００５８】
図８に示すように、この第２実施形態のデータエントリシステムは、第１実施形態の構成に、さらに、文字認識定義体データベース４１（以下「文字認識定義体ＤＢ４１」と称す）、文字認識部４２、認識結果訂正制御部４３を有している。
【００５９】
文字認識定義体ＤＢ４１には、文字イメージ領域に対する読取条件が記憶されている。読取条件は、始点と終点の座標で指定される領域内に含まれる文字の文字種（漢字、英数字等）、文字数などである。
【００６０】
文字認識部４２は、文字認識定義体ＤＢ４１の読取条件と予めメモリ３２に記憶されている認識用辞書データを用いて指定された文字イメージ領域の文字認識処理を行う。
【００６１】
認識結果訂正制御部４３は、文字認識部４２により文字認識された文字（テキストデータ）を、メモリ３２から読み出してテキスト入力ボックス５３に挿入する。
【００６２】
続いて、この第２実施形態のデータエントリシステムの動作を説明する。
この第２実施形態のデータエントリシステムでは、処理対象の帳票Ｐの帳票コードが指定され、データエントリ開始操作が行われると、スキャナ１により帳票Ｐがスキャニングされて（図９のステップＳ３０１）、帳票イメージ５０がコンピュータ本体３に入力される。帳票コードは、スキャニングの際に、帳票イメージ５０から検出してもよい。
【００６３】
コンピュータ本体３では、制御部３１が、その入力されたイメージデータをイメージ記憶部３３に記憶する。イメージデータは、例えばＪＰＥＧ形式またはＰＮＧ形式等である。
【００６４】
イメージデータを記憶後、制御部３１は、帳票コードに対応する帳票種別データおよび入力フィールド定義データを帳票情報記憶部３５および入力フィールド定義体ＤＢ３６から読み出すと同時に文字認識定義体ＤＢ４１より文字認識定義データを読み出し（ステップＳ３０２）、メモリ３２に展開する。
【００６５】
続いて、入力フィールド画面制御部３７は、イメージ記憶部３３から、データエントリ対象のイメージデータを読み出してデータエントリ画面として表示装置４へ出力し、図３に示すようなデータエントリ画面５が表示装置４に表示される（ステップＳ３０３）。
【００６６】
このデータエントリ画面５の初期画面には、従来のようなテキスト入力用のフィールドは表示されず画面全体に帳票イメージ５０が表示される。
【００６７】
ここで、オペレータが、データエントリ画面５上のポインタ（矢印）を、マウス操作により所望の文字の位置に移動させる（入力したい文字イメージ領域を指定する）と（ステップＳ３０４）、入力フィールド画面制御部３７は、そのポインタの位置を基にメモリ３２から座標情報を読み出して、その文字を含む文字イメージ領域を特定（指定）し、文字認識部４２に渡す。
【００６８】
文字認識部４２は、特定（指定）された文字イメージ領域に対して、予めメモリ３２に読み込んでおいた文字認識定義データと認識用辞書データを用いて文字認識処理を行い（ステップＳ３０５）、文字認識結果をメモリ３２に記憶する。
【００６９】
文字認識後、入力フィールド画面制御部３７は、メモリ３２から、入力フィールド定義データおよび帳票種別データを読み出し、指定された文字イメージ領域の位置に表示するために、枠線５１、リンク線５２およびテキスト入力ボックス５３を生成する。
【００７０】
また、認識結果訂正制御部４３は、メモリ３２から、認識結果のテキストデータを読み出して、入力フィールド画面制御部３７により生成されたテキスト入力ボックス５３に挿入し、これらのデータを表示装置４へ出力する。
【００７１】
これにより、図１０に示すように、データエントリ画面５には、テキストデータ６０を挿入したテキスト入力ボックス５３と、このテキスト入力ボックス５３とリンク線５２で接続した文字イメージ領域を囲む枠線５１とがポップアップ表示される（ステップＳ３０６）。
【００７２】
この例は、帳票イメージ５０の文字イメージ領域の一つの項目である「住所」の欄（フィールド）が文字認識され、テキスト入力ボックス５３には、「東京都？中市？町３−２２」などといった認識結果のテキストデータ６０が下線とともに表示された例である。認識結果のクエッションマーク？は、文字認識に失敗または認識できなかった文字を示す記号である。
【００７３】
ここで、オペレータにより、テキスト入力ボックス５３のテキストデータ６０が修正され、エンターキー等のデータ訂正終了操作が行われると（ステップＳ３０７のＹｅｓ）、制御部３１は、テキスト入力ボックス５３のテキストデータ６０を入力データ保存部３４の該当項目のレコード（記憶領域）に保存する（ステップＳ３０８）。
【００７４】
データ保存後、制御部３１は、入力データ保存部３４にデータが保存されている項目毎のフラグをチェックし、まだテキストデータが入力されていない項目（テキストが未入力の項目）が存在するか否かを判定する（ステップＳ３０９）。
【００７５】
テキストが未入力の項目が存在する場合（ステップＳ３０９のＹｅｓ）、制御部３１は、ステップＳ３０４の処理に戻り、文字イメージ領域が指定されるのを待機する。
【００７６】
なお、上記動作例では、一つの項目（文字イメージ領域）毎に文字認識する場合について説明したが、帳票イメージ５０を読み込んだときに、すべての項目（文字イメージ領域）について文字認識してメモリ３２に記憶しておき、文字イメージ領域が指定されたときに、該当する認識結果をテキスト入力ボックス５３に挿入し表示するようにしてもよい。
【００７７】
この場合、図９に示したフローチャートのうち、ステップＳ３０２とステップＳ３０３の処理の間に文字認識処理を入れることになる。
【００７８】
このようにこの第２実施形態のデータエントリシステムによれば、帳票イメージ５０を文字認識しその認識結果をテキスト入力ボックス５３に挿入して表示することで、オペレータによるキー入力作業を訂正のみに削減することができる。これは文字認識処理の精度が向上すればするほどさらなる作業効率向上に寄与できる。
【００７９】
なお、本願発明は、上記実施形態のみに限定されるものではなく、実施段階ではその要旨を逸脱しない範囲で構成要素を変形してもよい。例えば各構成要素を、コンピュータのハードディスク装置などのストレージにインストールしたプログラムで実現してもよい。
【００８０】
また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。
【００８１】
さらに、ネットワークを介して接続した異なるコンピュータに構成要素を分散して記憶し、各構成要素を機能させたコンピュータ間で通信することで実現してもよい。
【符号の説明】
【００８２】
Ｐ…帳票、１…スキャナ、２…入力装置、３…コンピュータ本体、４…表示装置、５…データエントリ画面、３１…制御部、３２…メモリ、３３…イメージ記憶部、３４…入力データ保存部、３５…帳票情報記憶部、３６…入力フィールド定義体データベース（入力フィールド定義体ＤＢ）、３７…入力フィールド画面制御部、４１…文字認識定義体データベース（文字認識定義体ＤＢ）、４２…文字認識部、４３…認識結果訂正制御部、５０…帳票イメージ、５１…枠線、５２，５２ａ…リンク線、５３，５３ａ…テキスト入力ボックス、５４…カーソル、５６…テキスト、５７…矢印、６０…テキストデータ。
【図１】
2010287079.tif 000003
【図２】
2010287079.tif 000004
【図３】
2010287079.tif 000005
【図４】
2010287079.tif 000006
【図５】
2010287079.tif 000007
【図６】
2010287079.tif 000008
【図７】
2010287079.tif 000009
【図８】
2010287079.tif 000010
【図９】
2010287079.tif 000011
【図１０】
2010287079.tif 000012